(57)【要約】【課題】パノラマカメラの周囲全方位へ均等な配光をする照明装置を提供する。【解決手段】本体１は、パノラマカメラを装着する筐体であるカバー部２およびベース部３と、ベース部３の全周にわたって設けられる複数のＬＥＤであるＬＥＤチップ９・・・と、ＬＥＤチップ９の外側に設けられ、ＬＥＤチップ９・・・の光の広がりを助長するレンズである散光レンズ４と、を備えている。そのため、散光レンズ４から光が出射する際に光の広がりを助長して、カバー部２およびベース部３の周囲３６０°全方位へ均等な配光を実現することができる。【選択図】図１
0003208456.tif 000002
【実用新案登録請求の範囲】
【請求項１】
パノラマカメラを装着する筐体と、
前記筐体の全周にわたって設けられる複数のＬＥＤと、
前記複数のＬＥＤの外側に設けられ、前記複数のＬＥＤの光の広がりを助長するレンズと、を備えることを特徴とする照明装置。
【請求項２】
前記レンズは全体形状が輪状であり、内周面の断面視が垂直に形成され、外周面の断面視が半円形に形成され、
前記複数のＬＥＤから照射される光が、垂直に前記内周面に入射されるように構成することを特徴とする請求項１記載の照明装置。
【請求項３】
前記筐体の上部は円形皿状に形成され、
前記筐体の上面に前記パノラマカメラ用取付ネジを設けたことを特徴とする請求項１または請求項２記載の照明装置。
【請求項４】
前記筐体の下部は前記上部と略同一形状であり、
前記筐体の底面に三脚用取付ネジを設けたことを特徴とする請求項３記載の照明装置。
【請求項５】
無線通信手段をさらに備え、
無線通信手段を有するリモコン、携帯端末、またはパソコンから、遠隔操作で前記ＬＥＤのＯＮ／ＯＦＦをすることを特徴とする請求項１及至請求項４のいずれか１項に記載の照明装置。
【請求項６】
前記複数のＬＥＤはＬＥＤ群ごとに直列に接続され、
前記ＬＥＤ群は並列に電力が供給されるように構成されることを特徴とする請求項１及至請求項５のいずれか１項に記載の照明装置。
【考案の詳細な説明】
【技術分野】
【０００１】
本考案は撮像装置の照明装置に関し、特に周囲３６０°の撮影が可能な撮像装置の照明装置に関する。
【背景技術】
【０００２】
この種の照明装置として、例えば特許文献１には、撮像装置であるパノラマカメラの前後左右を囲うようにＬＥＤを配列し、内蔵された電池により四方に照明光を照射させるものが開示されている。
【先行技術文献】
【特許文献】
【０００３】
【特許文献１】特開２０１６−０５７６０２号公報
【考案の開示】
【考案が解決しようとする課題】
【０００４】
しかし、特許文献１に示す照明装置はＬＥＤから照明光を直接照射し、特にＬＥＤの光は指向性が高いため、パノラマカメラの周囲、特に上下方向で照明光の照射される場所と照射されない場所があった。
【０００５】
そこで、本考案は上記事情に鑑み、パノラマカメラの周囲全方位へ均等な配光をする照明装置を提供することを目的とする。
【課題を解決するための手段】
【０００６】
本考案の請求項１に記載の照明装置は、パノラマカメラを装着する筐体と、前記筐体の全周に設けられる複数のＬＥＤと、前記複数のＬＥＤの外側に設けられ、前記複数のＬＥＤの光の広がりを助長するレンズと、を備えることを特徴とする。
【０００７】
また、本考案の請求項２に記載の照明装置は、前記レンズは全体形状が輪状であり、内周面の断面視が垂直に形成され、外周面の断面視が半円形に形成され、前記複数のＬＥＤから照射される光が、垂直に前記内周面に入射されるように構成することを特徴とする。
【０００８】
また、本考案の請求項３に記載の照明装置は、前記筐体の上部は円形皿状に形成され、前記筐体の上面に前記パノラマカメラ用取付ネジを設けることを特徴とする。
【０００９】
また、本考案の請求項４に記載の照明装置は、前記筐体の下部は前記上部と略同一形状であり、前記筐体の底面に三脚用取付ネジを設けることを特徴とする。
【００１０】
また、本考案の請求項５に記載の照明装置は、無線通信手段をさらに備え、無線通信手段を有するリモコン、携帯端末、またはパソコンから、遠隔操作で前記ＬＥＤのＯＮ／ＯＦＦをすることを特徴とする。
【００１１】
また、本考案の請求項６に記載の照明装置は、前記複数のＬＥＤはＬＥＤ群ごとに直列に接続され、前記ＬＥＤ群は並列に電力が供給されるように構成されることを特徴とする。
【考案の効果】
【００１２】
請求項１の発明によれば、レンズから光が出射する際に光の広がりを助長して、筐体の周囲３６０°全方位へ均等な配光を実現することができる。
【００１３】
請求項２の発明によれば、ＬＥＤからの光が垂直にレンズに入射するので、入射光の屈折や反射を防止することができ、レンズから光が出射する際に上下方向に照射角度が広がり、均等な配光を実現することができる。
【００１４】
請求項３の発明によれば、照明装置が手に馴染みやすい形状に形成され、また突起物を無くしてパノラマカメラに写りこまないようにすることができる。
【００１５】
請求項４の発明によれば、他の部品や道具などを用いなくても、三脚に照明装置を取り付けることができ、また照明装置が手に馴染みやすい形状に形成され、そしてパノラマカメラに写りこまないようにすることができる。
【００１６】
請求項５の発明によれば、直接手動で操作しなくても遠隔操作でＬＥＤのＯＮ／ＯＦＦを操作でき、照明装置の利便性が向上する。
【００１７】
請求項６の発明によれば、照明装置の周囲３６０°全方位への発光ができると共に、照明装置の周囲の特定の範囲ごとに単方向への発光もできるようになり、例えば通常のデジタルカメラ用の照明装置や懐中電灯としての使用もできる。
【図面の簡単な説明】
【００１８】
【図１】本発明の照明装置の分解斜視図である。
【図２】同上、カバー部の斜視図である。
【図３】同上、カバー部の別角度の斜視図である。
【図４】同上、ベース部の斜視図である。
【図５】同上、ベース部の別角度の斜視図である。
【図６】同上、散光レンズおよびフレキシブル基板の斜視図である。
【図７】同上、フレキシブル基板の外観図である。
【図８】同上、本体の部分断面図である。
【図９】同上、電気的構成を示すブロック図である。
【図１０】同上、ＬＥＤチップの種類とサンプルの構成の一例を示す表である。
【考案を実施するための形態】
【００１９】
以下、本考案における好ましい照明装置の実施形態について、添付図面を参照して説明する。なお、これらの全図面にわたり、共通する部分には共通する符号を付すものとする。
【００２０】
図１は、本考案の照明装置の一実施形態を示している。先ず図１に基づいて、照明装置の全体構成を説明すると、１は照明装置の本体であり、この本体１は、本体１の筐体となるカバー部２およびベース部３と、光を透過して照射するレンズである散光レンズ４と、パノラマカメラを取り付けるパノラマカメラ用取付ネジ５と、照明装置の電子部品の電源となるLiポリマーのバッテリー６と、照明装置の電気回路を構成するプリント回路基板７と、カバー部２とベース部３を接続するネジ８，８・・と、ＬＥＤたるＬＥＤチップ９，９・・・が搭載されているフレキシブル基板１０と、後述する防水用のＯリング１１，１１と、を備えている。そして、カバー部２とベース部３のそれぞれにＯリング１１が取り付けられ、カバー部２とベース部３を接続することにより、散光レンズ４が上下のＯリング１１，１１に挟持される構成となっている。また、ベース部３と散光レンズ４の内周との間にフレキシブル基板１０が配設される構成となっている。
【００２１】
図２は図１に示すカバー部２の斜視図を示している。本考案において、意匠の観点から手に馴染みやすい形状にし、突起物を無くしてパノラマカメラに写りこまないようにするため、カバー部２は円形の皿状に形成され、平面部１２および立ち上がり部１３を有する。また、カバー部２は加工しやすいＡＢＳ樹脂（アクリロニトリル（Ａ）、ブタジエン（Ｂ）、スチレン（Ｓ）の頭文字）からなり、寸法安定性および難燃性、材料費などの利点を有する。なお、カバー部２の材質についてはＡＢＳ樹脂に限定されるものではないが、本考案の照明装置はカメラ撮影用のため、カバー部２の表面は光沢を抑え、不要な反射を取り除くことが望ましい。そして平面部１２の中心には、パノラマカメラ用取付ネジ５を取り付ける、圧入用の穴部１４が設けられている。パノラマカメラ用取付ネジ５では、パノラマカメラを取り付けるネジ部と穴部１４に挿入する挿入部が設けられており、挿入部にはローレット加工、または旋盤による溝切加工が施されている。穴部１４は、この挿入部の直径よりわずかに小さいマイナス公差の穴に形成されており、圧入器で押し込むことでパノラマカメラ用取付ネジ５を平面部１２に固定している。なお、カバー部２を金型で作成する場合は、インサート成形にしてパノラマカメラ用取付ネジ５をいわゆる「置きネジ」にし、一体成型でカバー部２を形成してもよい。また、穴部１４に雌ネジを形成し、パノラマカメラ用取付ネジ５の挿入部にネジ部を形成してもよい。この場合、緩み止めのために、接着や割りピンで留めるなどの加工が必要となる。
【００２２】
図３は、図２と別の角度から見たカバー部２の斜視図である。上述のようにカバー部２は円形の皿状であり、中央に突起部１５が設けられている。突起部１５は上部を平坦にした円錐形状であり、内部に穴部１４が形成されている。カバー部２の外周には、Ｏリング１１が取り付けられる溝部１６が形成されている。突起部１５と溝部１６の間に、仕切り板１７が放射状に等角度で６つ形成され、それぞれの仕切り板１７の立ち上がり部１３付近に、ネジ８を螺着するネジ受け部１８、または小ネジ（図示せず）を螺着するネジ受け部１９が形成されている。本考案において、ネジ受け部１８は４つ、ネジ受け部１９は２つ形成され、ネジ受け部１９は対角線上に位置する２つの仕切り板１７に形成されており、小ネジでバッテリー６を固定してカバー部２に格納している。
【００２３】
図４は図１に示すベース部３の斜視図を示している。ベース部３は、カバー部２と略同一形状である円形の皿状のベース部本体２１と、フレキシブル基板１０を巻き付ける筒状部２２と、ベース部本体２１上端と筒状部２２外周の間に形成される鍔状部２３を備えている。また本考案において、ベース部３はアルミニウムからなり、熱伝導性および加工のしやすさなどの利点を有する。ベース部本体２１の中央には突起部２４が設けられ、またベース部本体２１にはネジ受け部１８に対応する箇所にネジ穴部２５が設けられており、ネジ穴部２５を通してネジ８をネジ受け部１８に螺着することでカバー部２とベース部３を接続する構成となっている。また、突起部２４は上部を平坦にした円錐形状であり、内部に三脚取付用の雌ネジ部２６が形成されている。またベース部本体２１の側面には、図面手前より、バッテリー充填状態とバッテリー残量表示を兼ねたインジケータＬＥＤ用開口部３５、ＯＮ・ＯＦＦ／出力切替スイッチ用開口部２７、および無線接続状況を示すインジケータＬＥＤ用開口部３６が形成されている。そして、図４には図示されていないが、ＵＳＢコネクタ用開口部２８が形成されている。筒状部２２は上面視略円形状であり、外周にフレキシブル基板１０を巻き付けるように取り付ける構成となっている。ここで筒状部２２の外周面では、フレキシブル基板１０搭載のＬＥＤチップ９が位置する場所が面取りされて、曲面が平面に形成されている。このように形成することで、意図する方向にＬＥＤチップ９の光を照射することができると共に、ＬＥＤチップ９との密着性を高め、放熱特性を上昇させることができる。また筒状部２２は、上端から鍔状部２３の高さまでの切欠部２９を２つ有しており、ＬＥＤチップ９とＬＥＤドライバ５２を接続する配線が、切欠部２９を通して配設されている。そして鍔状部２３は、Ｏリング１１が取り付けられる溝部３０が形成されている。
【００２４】
図５は、図４と別の角度から見たベース部３の斜視図である。ベース部本体２１は、カバー部２と同様に平面部３１および立ち上がり部３２を有し、平面部３１の中心には、三脚取付用の雌ネジ部２６が設けられている。また、平面部３１および立ち上がり部３２の境目付近にネジ穴部２５が設けられている。そしてベース部本体２１の周囲には溝部３３が形成され、このようにすることで、ベース部３の表面積を広げて放熱特性を向上させることができる。また隣り合う溝部３３間の幅Ｗはベース部本体２１の肉厚と同程度が望ましく、金型によりベース部３を生産した場合にアルミニウムの肉厚を均一にすることができる。金型加工にダイキャストを採用した場合は高圧で溶融したアルミニウムを金型に押し込むため、アルミニウムの肉厚が不均一になると、冷却した際に部分的に歪む現象が発生する。そのため、アルミニウムの肉厚はできるだけ均一にすることが望ましい。そして、ベース部本体２１の側面には、上述したインジケータＬＥＤ用開口部３５、ＯＮ・ＯＦＦ／出力切替スイッチ用開口部２７、インジケータＬＥＤ用開口部３６、およびＵＳＢコネクタ用開口部２８に加え、ストラップ等を取り付け可能な取付部３４が設けられている。なお、インジケータＬＥＤ用開口部３５、ＯＮ・ＯＦＦ／出力切替スイッチ用開口部２７、およびインジケータＬＥＤ用開口部３６には防水性のあるシール（図示せず）が貼付される。そして、ＵＳＢコネクタの部分には防水タイプが採用され、全体の防水性を維持している。
【００２５】
図６は図１に示す散光レンズ４およびフレキシブル基板１０の斜視図を示している。本考案において、散光レンズ４はポリカーボネイトからなり、透明度が高く、熱や衝撃に強いという利点を有する。また、散光レンズ４は全体形状が輪状に形成されており、内周面４１、外周面４２、上面４３および下面４４を有する。
【００２６】
図７は、フレキシブル基板１０の外観図を示している。フレキシブル基板１０はＬＥＤチップ９を１２個搭載しており、フレキシブル基板１０を筒状部２２に取り付けた際に、筒状部２２にＬＥＤチップ９が周囲３０°の均等間隔に配置され、周囲３６０°全方位への発光ができるように構成されている。またＬＥＤチップ９は、散光レンズ４の内周面４１の中央付近の高さに垂直に入射するような高さに搭載される。ここで、フレキシブル基板１０の高さＨは散光レンズ４の高さと同程度であることが望ましい。
【００２７】
図８は本体１の部分断面図を示している。散光レンズ４の内周面４１は断面視が垂直になっており、平面であるＬＥＤチップ９の発光面と合わせるように形成されている。また、外周面４２は断面視が半円形に形成されている。このようにすることで、ＬＥＤチップ９からの光が垂直に散光レンズ４に入射するので、入射光の屈折や反射を防止することができ、散光レンズ４から光が出射する際に上下方向に照射角度が広がり、光の広がりを助長して、均等な配光を実現することができる。なお、外周面４２の形状を粒状にして、水平方向へ照射角度が広がるように構成してもよい。また、上面４３および下面４４には、カバー部２およびベース部３に取り付けられたＯリング１１がそれぞれ接触し、カバー部２やベース部３と散光レンズ４の間の隙間より水などの液体が入らないように構成している。
【００２８】
図９は、本体１の電気的構成を示すブロック図である。本体１はマイコン（マイクロコンピュータ）５１を備え、このマイコン５１に、ＬＥＤドライバ５２と、充電回路５３と、バッテリー６と、無線モジュール５４と、ＯＮ・ＯＦＦ／出力切替スイッチ５６と、インジケータＬＥＤ５７，５８と、がそれぞれ接続される。マイコン５１は記憶手段を有し、ＬＥＤドライバ５２を制御するためのプログラムや充電回路５３を制御してバッテリー６のバッテリー残量を管理するためのプログラムが記憶保持される。
【００２９】
ＬＥＤドライバ５２は定電流制御を行ない、ＬＥＤチップ９をＯＮ／ＯＦＦするものであり、充電回路５３およびバッテリー６に接続され、マイコン５１により制御される。本考案のＬＥＤチップ９は、４個の直列接続を一組としてＬＥＤ群９Ａ，９Ｂ，９Ｃを構成し、３列のＬＥＤ群９Ａ，９Ｂ，９ＣをＬＥＤドライバ５２に並列に接続し、ＬＥＤドライバ５２に備えられる半導体スイッチによりＬＥＤ群９Ａ，９Ｂ，９Ｃごとに発光するように構成される。このように構成することで、周囲３６０°全方位への発光ができると共に、周囲１２０°ごとに単方向への発光もできるようになる。また、色温度の異なるＬＥＤチップ９を採用し、ＬＥＤチップ９の発光パターンを選択してもよい。図１０はＬＥＤチップ９の種類とサンプルの構成の一例を示す表である。本考案は、試料名がＢで示される、色温度が５０００Ｋで平均演色評価数がＲａ８０のＬＥＤチップ９を採用しているが、例えば、試料名Ａのように色温度が６５００ＫのＬＥＤチップ９を採用して高輝度にしてもよく、試料名ＣやＤのように半数（本考案の場合は６個）のＬＥＤチップ９に異なる色温度の２７００Ｋのものを採用したミックスタイプにしてもよい。また、費用を抑えるために、試料名Ｅのように平均演色評価数がＲａ７０のＬＥＤチップを採用してもよい。
【００３０】
充電回路５３はバッテリー６を充電するものであり、バッテリー６およびＬＥＤドライバ５２に接続されて、マイコン５１により制御される。またＵＳＢ電源５５にも接続されて、ＵＳＢ電源５５からの電力をバッテリー６やＬＥＤドライバ５２に入力するように構成される。
【００３１】
無線モジュール５４は、Bluetooth（登録商標）などの通信手段を通じてデータをやり取りするものであり、無線モジュール５４で受け取ったデータはマイコン５１に送信される。そして、そのデータに従って、マイコン５１がＬＥＤドライバ５２や充電回路５３を制御するように構成される。このようにすることで、専用のリモコンの他にも、スマートフォンやタブレットなどの携帯端末、パソコンなどから、遠隔操作でそれぞれのＬＥＤ群９Ａ，９Ｂ，９ＣをＯＮ／ＯＦＦすることができる。なお、通信手段はBluetoothに限らず、無線ＬＡＮや携帯電話用のデータ回線などの無線回線網でもよい。
【００３２】
ＯＮ・ＯＦＦ／出力切替スイッチ５６は、マイコン５１に信号を送信して、ＬＥＤドライバ５２のＬＥＤチップ９への出力のＯＮ・ＯＦＦや電力の切替をするように制御するものであり、ＯＮ・ＯＦＦ／出力切替スイッチ用開口部２７に貼付されたシールの上から操作を行なう、いわゆるメンブレンスイッチ状に構成される。このＯＮ・ＯＦＦ／出力切替スイッチ５６を操作することにより、ＬＥＤチップ９への出力を所定の電力に切り替えたり、出力をゼロにしてＯＦＦにするように、マイコン５１がＬＥＤドライバ５２を制御する。
【００３３】
インジケータＬＥＤ５７は、バッテリー６の充電状態とバッテリー残量表示を兼ねた表示を行なうものであり、充電状態やバッテリー残量にしたがい、マイコン５１により表示形態を変化させる処理、例えば表示色を変更させたり点滅を行なわせたりする処理が行なわれる。
【００３４】
インジケータＬＥＤ５８は、無線モジュール５４の無線接続状況を示す表示を行なうものであり、無線接続状況にしたがい、マイコン５１により表示形態を変化させる処理、例えば表示色を変更させたり点滅を行なわせたりする処理が行なわれる。
【００３５】
次に上記照明装置の構成について、その作用を説明すると、ＵＳＢコネクタを接続し、ＵＳＢ電源５５から充電回路５３に電力が供給されると、充電回路５３からバッテリー６、マイコン５１、ＬＥＤドライバ５２に電力が供給され、バッテリー６への充電を開始する。なお、この時にＬＥＤ群９Ａ，９Ｂ，９ＣをＯＮさせた場合、ＬＥＤドライバ５２は、充電回路５３からの電力を、ＯＮさせるＬＥＤ群９Ａ，９Ｂ，９Ｃに供給するように構成される。
【００３６】
その後、バッテリー６が充電され、ＵＳＢコネクタが取り外されると、充電回路５３からのバッテリー６、マイコン５１、ＬＥＤドライバ５２への電力供給が停止し、バッテリー６からの電力がマイコン５１、ＬＥＤドライバ５２へ供給される。そして、本体１の照明の電源をＯＮ／ＯＦＦする場合は、携帯端末やパソコンなどからデータを送信すると、無線モジュール５４はそのデータを受信してマイコン５１に送信し、受信データに従ってマイコン５１がＬＥＤドライバ５２を制御して、バッテリー６の電力をＯＮにするＬＥＤ群９Ａ，９Ｂ，９Ｃに供給し、またはＯＦＦにするＬＥＤ群９Ａ，９Ｂ，９Ｃの電力供給を停止する。
【００３７】
以上のように、本実施形態の照明装置である本体１は、パノラマカメラを装着する筐体であるカバー部２およびベース部３と、ベース部３の全周に設けられる複数のＬＥＤであるＬＥＤチップ９・・・と、ＬＥＤチップ９の外側に設けられ、ＬＥＤチップ９・・・の光の広がりを助長するレンズである散光レンズ４と、を備えて構成される。
【００３８】
このような構成により、散光レンズ４から光が出射する際に光の広がりを助長して、カバー部２およびベース部３の周囲３６０°全方位へ均等な配光を実現することができる。
【００３９】
また、本実施形態の散光レンズ４は全体形状が輪状であり、内周面４１の断面視が垂直に形成され、外周面４２の断面視が半円形に形成され、ＬＥＤチップ９・・・から照射される光が、垂直に内周面４１に入射されるように構成される。
【００４０】
このような構成により、ＬＥＤチップ９からの光が垂直に散光レンズ４に入射するので、入射光の屈折や反射を防止することができ、散光レンズ４から光が出射する際に上下方向に照射角度が広がり、均等な配光を実現することができる。
【００４１】
また、本実施形態の本体１の筐体の上部であるカバー部２は円形皿状に形成され、カバー部２の上面にパノラマカメラ用取付ネジ５を設けて構成される。
【００４２】
このような構成により、本体１が手に馴染みやすい形状に形成され、また突起物を無くしてパノラマカメラに写りこまないようにすることができる。
【００４３】
また、本実施形態の本体１の筐体の下部であるベース部本体２１はカバー部２と略同一形状であり、ベース部本体２１の底面に三脚用取付ネジである三脚取付用の雌ネジ部２６を設けて構成される。
【００４４】
このような構成により、他の部品や道具などを用いなくても、三脚に本体１を取り付けることができ、またカバー部２と同様に本体１が手に馴染みやすい形状に形成され、そしてカバー部２と同様にパノラマカメラに写りこまないようにすることができる。
【００４５】
また、本実施形態の本体１は無線通信手段である無線モジュール５４をさらに備え、無線通信手段を有するリモコン、携帯端末、またはパソコンから、遠隔操作でＬＥＤチップ９のＯＮ／ＯＦＦをするように構成される。
【００４６】
このような構成により、直接手動で操作しなくても遠隔操作でＬＥＤチップ９のＯＮ／ＯＦＦを操作でき、本体１の利便性が向上する。
【００４７】
また、本実施形態のＬＥＤチップ９はＬＥＤ群９Ａ，９Ｂ，９Ｃごとに直列に接続され、ＬＥＤ群９Ａ，９Ｂ，９Ｃは並列に電力が供給されるように構成される。
【００４８】
このような構成により、周囲３６０°全方位への発光ができると共に、周囲の特定の範囲、すなわち周囲１２０°ごとに単方向への発光もできるようになり、例えば通常のデジタルカメラ用の照明装置や懐中電灯としての使用もできる。
【００４９】
なお、本発明は上記実施形態に限定されるものではなく、本考案の趣旨を逸脱しない範囲で種々の変更が可能である。例えば、本実施形態ではバッテリー６を内蔵しているが、本体１の電源は外付けであってもよく、また手動操作でＬＥＤチップ９のＯＮ／ＯＦＦをしてもよい。さらに、各部の構成などは、本実施形態のものに限定されず、適宜変更が可能である。
【符号の説明】
【００５０】
１  本体
２  カバー部（筐体，筐体の上部）
３  ベース部（筐体）
４  散光レンズ（レンズ）
５  パノラマカメラ用取付ネジ
９  ＬＥＤチップ（ＬＥＤ）
９Ａ  ＬＥＤ群
９Ｂ  ＬＥＤ群
９Ｃ  ＬＥＤ群
２１  ベース部本体（筐体の下部）
２６  雌ネジ部（三脚取付用ネジ）
４１  内周面
４２  外周面
５４  無線モジュール（無線通信手段）
【図１】
0003208456.tif 000003
【図２】
0003208456.tif 000004
【図３】
0003208456.tif 000005
【図４】
0003208456.tif 000006
【図５】
0003208456.tif 000007
【図６】
0003208456.tif 000008
【図７】
0003208456.tif 000009
【図８】
0003208456.tif 000010
【図９】
0003208456.tif 000011
【図１０】
0003208456.tif 000012